(57)【要約】      （修正有）【課題】上端部がずり落ちないよう肩から肘までの間の上膊部分に安定的に固定可能とする腕カバーを提供する。【解決手段】上端の上膊固定部分５の一部に周方向に一定の間隔を介して相互に接着・剥離が自在な一対の面ファスナー７，９を袋状の上膊固定部分５の周方向に接着位置調整自在に取り付ける。これにより袋状体２の上端の開口部を使用する者の上膊部すなわち腕の太さに合わせて適度の絞りにより安定的に固定することができ、これによって快適な装着感を維持することができる。【選択図】図１
0003161120.tif 000002
【実用新案登録請求の範囲】
【請求項１】
少なくとも手首部分から上膊部分を覆うようにした遮光性のある柔軟な材質からなる袋状体からなり、上端の上膊固定部分の一部に周方向に一定の間隔を介して相互に接着・剥離が自在な一対の面ファスナーを袋状の上膊固定部分の周方向に接着位置調整自在に取り付けてなる腕カバー。
【請求項２】
接着位置調整自在に取り付けた一対の面ファスナーが、その一方が袋状体の上膊固定部分の周方向に沿って長く形成されているところの請求項１に記載の腕カバー。
【請求項３】
袋状体からなり、上端の上膊固定部分の一部に手首方向に向けた切り込みを入れるとともに、該切り込みを跨いで周方向に一定の間隔を介して相互に接着・剥離が自在な面ファスナーを取り付けてなる請求項１又は請求項２に記載の腕カバー。
【請求項４】
周方向に一定の間隔を介して相互に接着・剥離が自在な面ファスナーの一方が、袋状の上膊固定部分の一部より突出させた摘み片の裏面に施されているところの請求項１〜３のいずれか１に記載の腕カバー。
【請求項５】
袋状体の手首部分から先には手袋が一体に設けられているものである請求項１〜４のいずれか１に記載の腕カバー。
【考案の詳細な説明】
【技術分野】
【０００１】
本考案は、とくに自動車運転時や、外出時、あるいはゴルフなどスポーツ時などにおいて日焼け防止あるいはファッション用として装用可能な腕カバーに関し、軽くて柔軟性があり、しかも遮光性を備え、とくに上端部がずり落ちないよう肩から肘までの間の上膊部分に安定的に固定可能としたことを特徴とする。
【背景技術】
【０００２】
従来日差しや冷房から腕を保護する目的で覆うようにしたものとしては、指先から上腕までを覆うために、手袋とアームカバーとを別体に構成し、手袋をアームカバーに付着または取り外し自在とした手袋が知られている（特開平１１−１４０７１３号公報参照）。
【０００３】
また、ナイロン糸を素材とし、肌色に染色した１２デニールの糸を丸編みし、基端にゴム糸を所要幅編みこんで保持バンド部を形成した日焼け防止用の腕カバー（特開２０００−３５５８１１号公報参照）や、あるいは後端開口に向けて次第に光線透過率を大きくするとともに、後端開口部にゴムを設けて腕に密着させるようにした日焼け止め手袋（実開平６−４０１２号公報参照）も知られている。
【０００４】
また、綿布を利用して指先から肩までを覆うようにするとともに肩の部分にゴムを入れて肩部分で止められるようにした腕カバー（登録実用新案第３０１９２２０号公報参照）も知られている。
【先行技術文献】
【特許文献】
【０００５】
【特許文献１】特開平１１−１４０７１３号公報
【特許文献２】特開２０００−３５５８１１号公報
【特許文献３】実開平６−４０１２号公報
【特許文献４】登録実用新案第３０１９２２０号公報
【考案の概要】
【考案が解決しようとする課題】
【０００６】
しかしながら、上記した特許文献１のものにあっては、アームカバーを腕に密着させ、あるいは厚手にしないかぎり使用中に次第に手首寄りにずり落ちやすく使い勝手があまりよくない。また特許文献２以下のものにあっては腕の細い場合から太い場合にも対応できるように腕の上方部にかなり伸びのあるゴムを入れてある結果、長時間の装用によりゴムの締め付け後がついたり、痛みを感じたりすることが多い。
【課題を解決するための手段】
【０００７】
上記の課題を解決するために、本考案においては使用する者の腕の太さの違いに関係なしに快適に装用が可能で、しかも使用中に不用意に手首方向にずり落ちたりすることがない腕カバーを創案したものであって、具体的には、少なくとも手首部分から上膊部分を覆うようにした遮光性のある柔軟な材質からなる袋状体からなり、上端の上膊固定部分の一部に周方向に一定の間隔を介して相互に接着・剥離が自在な一対の面ファスナーを袋状の上膊固定部分の周方向に接着位置調整自在に取り付けてなる腕カバーに関する。
【考案の効果】
【０００８】
本考案は上記したように、上端の上膊固定部分の一部に周方向に一定の間隔を介して相互に接着・剥離が自在な一対の面ファスナーを袋状の上膊固定部分の周方向に接着位置調整自在に取り付けてなるために、袋状体上端の開口部を使用する者の上膊部すなわち腕の太さに合わせて適度の絞りにより安定的に固定することができ、これによって快適な装着感を維持することができる。
【０００９】
また本考案は、上膊固定部の一部に手首部方向に向けた切り込みを入れるとともに、該切り込みを跨いで周方向に一定の間隔を介して相互に接着・剥離が自在な一対の面ファスナーを取り付けるようにしたために、腕に装用する際に、とくに上膊への装着が容易であり、しかも装着後に上記切り込みを跨ぐ一対の面ファスナーを重ね合わせて適度の圧接状態を維持することができる。
【００１０】
さらに周方向に一定の間隔を介して相互に接着・剥離が自在な面ファスナーの一方が、袋状の上膊固定部分の一部より摘み片を突出させ、該摘み片の裏面に施すようにしたために、腕カバーの装用後における上膊部に対する一対の面ファスナーによる固定操作がきわめて容易である。
【００１１】
また上膊固定部の一部区間にゴムを入れて絞り部が形成されているために一対の面ファスナーによる接着固定後にさらに幾分縮径されるために上膊固定部による固定がより一層安定する。
【図面の簡単な説明】
【００１２】
【図１】本考案の一実施例である腕カバーの正面図。
【図２】図１において、上端の上膊固定部分の切り込みを利用して手前側の半分を捲った状態の正面図。
【図３】図１にあらわした腕カバーの背面図。
【考案を実施するための形態】
【００１３】
以下において本考案の実施の形態について詳細に説明をする。図において、１は本考案に係る腕カバーをあらわしており、２は袋状体、４は手袋、５は上膊固定部をあらわしている。袋状体２は略円筒状をなし、少なくとも腕の手首部分から上膊部分を覆うようにした遮光性のある柔軟な材質からなり、下方の手首部３の先には手袋４が一体に設けられており、また上端には上膊固定部５が設けられている。
【００１４】
また本実施例においては袋状体２の正面側の一部が通気性を確保できるよう多孔質のネット状部２ａが形成されている。なお本実施例における手袋４はこの場合、車輌の運転に都合が良いように親指袋部４ａの先端部、および親指以外の指先先端部を露出させることができるようにそれぞれ開口されている。
【００１５】
さらに上膊固定部５は、袋状体２の上端開口部を腕の上膊部の太さに合わせて自在に縮径が可能な構成としてあり、上膊固定部５以下の上端部がずり落ちないよう肩から肘までの間の上膊部分に安定的に固定可能にしてある。具体的には上膊固定部５の一部に手首部３方向に向けた切り込み６を入れるとともに、該切り込み６を跨いで周方向に一定の間隔を介して相互に接着・剥離が自在な一対の面ファスナー７と９とを取り付けてなる。
【００１６】
この場合に、一方の面ファスナー７は切り込み６の片側６ｂの上膊固定部５上に、該上膊固定部５の周方向に向けて長円状に長く接着剤または縫い付けにより固定されており、また他方の面ファスナー９は、切り込み６の他側６ａの端部より突出させた摘み片８の裏面に、同じく上記した面ファスナー７に重ね合わせることができるように長円状に長く固定されており、これにより腕に装着して腕の上膊部の太さに合わせて袋状体２の上端開口部を自在に縮径させた位置で面ファスナー７と９とを接着させることができる。
【００１７】
さらに、本案の実施例においては上膊固定部５の一部区間にゴムを入れて絞り部１０が形成されているために一対の面ファスナー７・９による接着固定後にさらに幾分縮径されるために上膊固定部５による固定がより一層安定する。
【００１８】
なお上記した実施例においては上膊固定部５の一部に手首部３方向に向けた切り込み６を入れた構成としたが、切り込み６を入れずに上膊固定部５の周方向に向けて一定の間隔を介して相互に接着・剥離が自在な一対の面ファスナー７・９を袋状の上膊固定部５の周方向に接着位置調整自在に取り付けるようにしてもよい。
【００１９】
また上記の実施例においては、一方の面ファスナー９を切り込み６の他側６ａの端部より突出させた摘み片８の裏面側に形成するようにしたが、摘み片８を設けずに切り込み６の他側６ａの端部近くに直接に取り付けるようにしてもよい。
【００２０】
さらに上記の実施例においては袋状体２の手首部３から先には手袋４が一体に設けられているが、手袋４は必ずしも必要ではなく、手首部３までの構成としてもよい。
【符号の説明】
【００２１】
１        腕カバー
２        袋状体
３        手首部
４        手袋
５        上膊固定部
６        切り込み
７        面ファスナー
８        摘み片
９        面ファスナー
１０      絞り部
【図１】
0003161120.tif 000003
【図２】
0003161120.tif 000004
【図３】
0003161120.tif 000005